(57)【要約】【課題】確実に本人の所有物であることの確認が行なえる自己所有物確認方法を提供することを目的とする。【解決手段】多数個の貫通孔１が形成された確認シートＳを自己の所有物である対象物Ｗに貼付ける。確認シートＳの表て面２にマーキングをして完全マークＭ０  を記すことにより、貫通孔１においてはマーキングにより点状マークＭ１  が対象物Ｗに記され、かつ確認シートＳには間欠マークＭ２  が記される。確認シートＳを対象物Ｗから剥がして保管する。その後、確認シートＳを対象物Ｗに重ね、点状マークＭ１  と間欠マークＭ２  とが一つの完全マークＭ０  を構成することにより対象物Ｗが自己の所有物であると確認する。【選択図】  図３
2004355364.tif 000002
【特許請求の範囲】
【請求項１】
多数個の貫通孔（１）が形成された確認シート（Ｓ）を自己の所有物である対象物（Ｗ）に貼付け、該確認シート（Ｓ）にマーキングをして完全マーク（Ｍ０  ）を記すことにより、該貫通孔（１）においては該マーキングにより点状マーク（Ｍ１  ）が該対象物（Ｗ）に記され、かつ該確認シート（Ｓ）には間欠マーク（Ｍ２  ）が記され、該確認シート（Ｓ）を該対象物（Ｗ）から剥がして保管し、その後、上記間欠マーク（Ｍ２  ）が記された上記確認シート（Ｓ）を上記点状マーク（Ｍ１  ）が記された上記対象物（Ｗ）に重ね、該点状マーク（Ｍ１  ）と該間欠マーク（Ｍ２  ）とが一つの上記完全マーク（Ｍ０  ）を構成することにより該対象物（Ｗ）が自己の上記所有物であると確認することを特徴とする自己所有物確認方法。
【請求項２】
マーキングされ上記対象物（Ｗ）から剥がされた上記確認シート（Ｓ）を、透明の台紙用シート（３）に貼付けて保管する請求項１記載の自己所有物確認方法。
【請求項３】
上記対象物（Ｗ）の上記点状マーク（Ｍ１  ）が記された部位に、透明の保護フィルム（４）を上から貼る請求項１又は２記載の自己所有物確認方法。
【請求項４】
対象物（Ｗ）に貼付け可能とする粘着層（５）と、マーキングが可能な表て面（２）と、を有し、多数個の貫通孔（１）が形成され、該貫通孔（１）は該マーキングを通過させ貼付けた上記対象物（Ｗ）に点状マーク（Ｍ１  ）を付する大きさにて形成されたことを特徴とする自己所有物確認シート。
【請求項５】
透明乃至半透明の材質により作製された請求項４記載の自己所有物確認シート。
【発明の詳細な説明】
【０００１】
【発明の属する技術分野】
本発明は、自己の所有物を確認したり、盗難や偽造等の被害保護を目的とする自己所有物確認方法及びその確認シートに関する。
【０００２】
【従来の技術】
例えば、自己の所有物である傘について、本人の所有物であることの確認（証明）を行なうために、傘に名前シールを付している。
具体的に説明すると、傘の柄の一部に表示面部を設け、表示面部に名前シールを貼付け、その上から透明カバーを被せている（例えば、特許文献１参照）。
【０００３】
【特許文献１】
登録実用新案第３０５４８３０号公報
【０００４】
【発明が解決しようとする課題】
しかし、名前シールを用いると、それが所有者を示す表示であることが明らかであり、また、名前シールは目立ちやすく、簡単に剥がされてしまう。名前シールが剥がされると誰の所有物であるか直ぐに判らなくなってしまうという欠点がある。
また、傘やゴルフクラブ、釣り竿等の日用品や趣味品以外のもの、例えば、各種カードや通帳には、大きな名前シールを貼るわけにはいかず、名前シールを適用する対象物が限られるという欠点がある。
【０００５】
そこで本発明は、確実に本人の所有物であることの確認が行なえる自己所有物確認方法及びその確認シートを提供することを目的とする。
【０００６】
【課題を解決するための手段】
上述の目的を達成するために、本発明に係る自己所有物確認方法は、多数個の貫通孔が形成された確認シートを自己の所有物である対象物に貼付け、該確認シートにマーキングをして完全マークを記すことにより、該貫通孔においては該マーキングにより点状マークが該対象物に記され、かつ該確認シートには間欠マークが記され、該確認シートを該対象物から剥がして保管し、その後、上記間欠マークが記された上記確認シートを上記点状マークが記された上記対象物に重ね、該点状マークと該間欠マークとが一つの上記完全マークを構成することにより該対象物が自己の上記所有物であると確認する方法である。
また、マーキングされ上記対象物から剥がされた上記確認シートを、透明の台紙用シートに貼付けて保管する。
また、上記対象物の上記点状マークが記された部位に、透明の保護フィルムを上から貼る。
【０００７】
また、本発明に係る自己所有物確認シートは、対象物に貼付け可能とする粘着層と、マーキングが可能な表て面と、を有し、多数個の貫通孔が形成され、該貫通孔は該マーキングを通過させ貼付けた上記対象物に点状マークを付する大きさにて形成されたものである。
また、透明乃至半透明の材質により作製されている。
【０００８】
【発明の実施の形態】
以下、図示の実施の形態に基づき、本発明を詳説する。
【０００９】
図１は、本発明に係る自己所有物確認方法において使用する確認シートＳの斜視図である。この確認方法は、例えば、傘や鞄等の日用品からゴルフクラブや釣り竿等の趣味品、または、世の中に一つ（一枚）以上存在してはいけないもの、つまり、カードや通帳・パスポート等、貴重品、サイン必要物等において、その物が自己の所有物であることを確認（証明）するための方法であり、例えば、これらの物を紛失したり盗難に遭った場合、その後、その物が発見された際に、それが自己の所有物であることを客観的にも証明することのできる確認方法である。
【００１０】
この方法において使用する確認シートＳは、図１に示すように、対象物Ｗに貼付け可能とする粘着層５と、マーキングが可能な表て面２と、を有し、多数個の貫通孔１がランダムに又は整列状に形成され、貫通孔１はマーキングを通過させ貼付けた対象物Ｗに点状マークＭ１  を付する大きさにて形成されたものである。つまり、図２の側面図に示すように、確認シートＳは、対象物Ｗに貼付け可能であり、表て面２にマーキングが可能であると共に貫通孔１においては、マーキングが貫通孔１を通過して、マーキングが対象物Ｗに記されるものであり、薄い粘着性フィルム等により構成されている。確認シートＳの使用前の状態では、図示省略するが、台紙にこの確認シートＳが貼付けられており、台紙から確認シートＳを剥がして、自己の所有物であることの確認の対象とする対象物Ｗに貼付ける。
【００１１】
粘着層（糊層）５は、通常使用される粘着性を有する材質（材料）が適用でき、対象物Ｗに貼付けた後に簡単に剥がすことのできるよう（弱い粘着力にて）形成されており、確認シートＳは貼って剥がせる。
表て面２は、マーキングするペン等のインクと親和性のよい材質、マーキングを容易とする表面状態のものとしている。
また、この確認シートＳは、透明乃至半透明の材質（例えばプラスチックシート片）により作製されている。透明であることにより、後にも説明するが、対象物Ｗに記された（残された）点状マークＭ１  と、確認シートＳに記された間欠マークＭ２  とによる照合が行いやすい。また、半透明の材質とすることにより、鉛筆、ペン等の筆記具にてマーキングを行なうことが容易となり、扱いやすくできる。
【００１２】
確認シートＳに形成される多数個の貫通孔１について説明すると、貫通孔１をランダムに形成する場合、確認シートＳの全面にわたってランダムな配置により、ランダムな形状・大きさの孔を形成すればよい。
また、ランダム又は整列状に形成する貫通孔１の形状は、円形孔、長孔、模様孔等を有し、その向き（角度）は様々である。なお、模様孔とは、模様や図形を形取った孔である。この貫通孔１は、レーザ加工やオスメス金型によるプレス加工等にて形成されたものである。
また、図示省略するが、閉じた貫通孔１以外にも、多数個の切り欠きも同時に形成させてもよい。
【００１３】
そして、この確認シートＳを用いた自己所有物確認方法について説明する。多数個の貫通孔１が形成された確認シートＳを台紙（図示省略）から剥がし、確認シートＳを自己の所有物である対象物Ｗに貼付ける。つまり、後に自己の所有物であると認証することとなる対象物Ｗに確認シートＳを貼付ける。
【００１４】
次に、図２に示すように、確認シートＳの貫通孔１部を含んで表て面２にマーキングをして完全マークＭ０  を記する。マーキングは、鉛筆やペン、スタンプ、ペイント等により、文字や図形、簡単な絵等を確認シートＳに付することで行なわれる。また、この際、様々な色彩を混合させてもよい。
そして、図３は確認シートＳが対象物Ｗに貼付けられ、完全マークＭ０  がマーキングされた状態の平面図である。なお、ここでは、完全マークＭ０  を筆記体のアルファベット３文字としている。
マーキングとしては、例えば、トルエン等により消すことが困難なアクリルペンを用いるのが好ましい。
【００１５】
そして、図４は、確認シートＳが対象物Ｗに貼付けられた状態を示す拡大断面側面図であり、確認シートＳには、多数の貫通孔１が形成されているため、確認シートＳの貫通孔１部を含んで表て面２にマーキングをして完全マークＭ０  を記すことにより、貫通孔１においてはそのマーキングにより点状マークＭ１  が貫通孔１の形状・大きさに応じて対象物Ｗに記され、かつ確認シートＳ（非孔部）には間欠マークＭ２  が記される。つまり、対象物Ｗには、貫通孔１をマーキングが通過しドット状の点状マークＭ１  が付され、確認シートＳには、完全マークＭ０  から点状マークＭ１  部分が欠損する間欠マークＭ２  が、その表て面２に付されることとなる。
【００１６】
そして、図５に示すように、マーキングした確認シートＳを対象物Ｗから剥がして、その対象物Ｗの所有者が確認シートＳを保管する。
図５に示すように、完全マークＭ０  が分離されて、対象物Ｗには確認シートＳの貫通孔１に応じて付された点状マークＭ１  が付され、剥がした確認シートＳには間欠マークＭ２  のみが残された状態となる。
【００１７】
そして、例えば、その対象物Ｗが盗難に遭い、その後、その対象物Ｗが発見された場合、その物が本人のものであるかどうかを上記使用した確認シートＳにて行なうことができる。つまり、図６に示すように、間欠マークＭ２  が記された確認シートＳを、点状マークＭ１  が記された対象物Ｗに重ねる。それにより、点状マークＭ１  と間欠マークＭ２  とが一つの完全マークＭ０  が構成されることにより、その対象物Ｗが自己の所有物であることの確認ができる。
なお、点状マークＭ１  は、確認シートＳの構造より、複数のドットが同時に形成されるため、点状マークＭ１  と間欠マークＭ２  との一致は（完全マークＭ０  となることは）偶然では決して起こりえない。つまり、マークの一致は、確実に当該対象物Ｗがその本人の所有物であることを意味する。
【００１８】
図７は、マーキングした後の確認シートＳを、対象物Ｗから剥がした状態の拡大断面側面図である。本発明においては、確認シートＳが対象物Ｗに貼付けられ、マーキングされ、対象物Ｗから剥がされた確認シートＳを、透明の台紙用シート３に貼付けて保管してもよい。確認シートＳの裏面側には粘着層５を有するため、そのまま保管するのは困難となるが、確認シートＳを保管用の台紙用シート３に貼付けることで、それを解消できる。そして、台紙用シート３は透明であるため、その後の対象物Ｗに記された点状マークＭ１  との照合も容易となる。
【００１９】
さらに、図７に示すように、対象物Ｗの点状マークＭ１  が記された部位に、透明の保護フィルム４（セロハンテープ等の片面粘着テープで透けて見えるもの）を上から貼る。マーキングは様々な方法が採用できるが、マーキングの種類及び対象物Ｗの材質によっては、点状マークＭ１  が擦れにより消えてしまうおそれがある。しかし、保護フィルム４を貼ることで点状マークＭ１  が保護でき、半永久的に点状マークＭ１  が残される。この保護フィルム４は、例えば、インクをはじくシリコン系樹脂製のシートとすれば、保護フィルム４の上からインクで書かれて強制的に点状マークＭ１  を見えなくすることの防止ができる。
【００２０】
なお、本発明の具体的な実施例としては、上記対象物Ｗを日用品等の物に対して自分の物であるとの証明を行なう以外にも、対象物Ｗの偽造の防止も行なえる。例えば、クレジットカードにて買い物をした場合の購入控え書の本人確認を行なうことができる。
つまり、クレジットカードにて買い物をした場合、店舗にて、購入者控え書とカード会社控え書が備わるカード清算書に本人のサインを記する。このサインをする際に、（通常されるサインをすると共に）上記確認シートＳをカード精算書に貼付け、サイン（上記でいうマーキング）を行なう。これによりカード精算書に点状マークＭ１  が記される。そして、購入控え書と確認シートとは、購入者（本人）が所持し、カード会社控え書をカード会社が所有する。
【００２１】
ここで、その購入者（本人）のクレジットカードが悪用されたとし（盗難、カード番号漏洩等）、実際購入していない料金が含まれたカード会社からの料金支払いの通知を受けたとする。この際、カード会社の所有するカード会社控え書に点状マークＭ１  が付されているため、購入者は、自己の購入控え書の点状マークＭ１  及び確認シートＳの間欠マークＭ２  と、カード会社控え書に付された点状マークＭ１  と、の照合を上記説明したように行なうことで、購入控え書に記載された以外の金額の購入は、その店舗においてされていないことを証明できる。つまり、通常購入時に行なわれるサインは他人によって真似られるが、間欠マークＭ２  によりクレジットカードの利用の安全が図られる。
【００２２】
また、この確認シートＳは、他人にとっては完全マークＭ０  の再現（盗用）が極めて困難であるが、逆に、本人においては、一度使用した確認シートＳを再度使用して、同じ点状マークＭ１  を別の対象物Ｗに付することが簡単に行なえ、自己の所有物であることの印を、１枚の確認シートＳにて複数回行なえる。つまり、一つの対象物Ｗに対してある色によりマーキングを付し、そのある色を入れた貫通孔１により、他の対象物Ｗに対して同じ色を記することで、同じ柄（点状マークＭ１  ）がその対象物Ｗに転写できる。
【００２３】
【発明の効果】
本発明は上述の構成により次のような効果を奏する。
【００２４】
（請求項１によれば）本人の所有物であることの確認が確実かつ客観的に行なえ、あらゆる対象物Ｗに適用できる。また、確認方法は、極めて簡単で判りやすく、確認に場所を選ばず、特殊な判定機械を用いること無く、迅速に作業が行なえる。
部分的にマスキングを行なってサイン（マーキング）するため、確認シートＳと対象物Ｗの夫々に完全な形の（  １００％の）サインが残らず、その内容は他人が解読できないため、サインが悪用されることがない。
（請求項２によれば）確認シートＳの裏面側に粘着層５を有すると、そのまま保管するのが困難となるが、確認シートＳを台紙用シート３に貼付けることで、それを解消できる。そして、台紙用シート３は透明であるため、対象物Ｗに記された点状マークＭ１  との照合も容易である。
（請求項３によれば）マーキングの種類及び対象物Ｗの材質によっては、点状マークＭ１  が擦れにより消えてしまうおそれがあるが、保護フィルム４を貼ることで点状マークＭ１  が保護でき、半永久的に点状マークＭ１  を残すことができる。
【００２５】
（請求項４によれば）対象物Ｗに貼って作業が行なえ、表て面２はマーキングが可能となり、あらゆる対象物Ｗに適用することができる。本人の所有物であることの確認が確実かつ客観的に行なえるものとできる。また、その確認作業は、極めて簡単で判りやすく、確認に場所を選ばず、特殊な判定機械を用いること無く、迅速に作業が行なえる。
数字、文字、これらの色彩、大きさ等、さまざまなバリエーションでマーキングを付することができ、また、確認シートＳと対象物Ｗの双方に完全な形の（  １００％の）サインが残らず、他人にとっては再現性（偽造）の困難なものとできる。
粘着層５を有するためマーキング（サイン）する人の指紋を付けることができ、また、その人のマーキング（サイン）と共に残すことで不正を無くすることができる。従って、クレジットカード等現金以外にて物を購入する際において、利用することができ、カード使用の不正を無くすることができる。
（請求項５によれば）透明であることにより、対象物Ｗに記された（残された）点状マークＭ１  と、確認シートＳに記された間欠マークＭ２  とによる照合が行いやすい。また、半透明の材質とすることにより、鉛筆、ペン等の筆記具にてマーキングを行なうことが容易となり、扱いやすくできる。
【図面の簡単な説明】
【図１】本発明の自己所有物確認方法に用いる確認シートの斜視図である。
【図２】完全マークを確認シートにマーキングする様子を説明する側面図である。
【図３】対象物に貼付けられ完全マークがマーキングされた状態の確認シートの平面図である。
【図４】自己所有物確認方法を説明する使用状態を説明する拡大断面側面図である。
【図５】確認シートを対象物から剥がした状態の拡大断面側面図である。
【図６】確認シートを対象物に重ねた状態の拡大断面側面図である。
【図７】確認シートを対象物から剥がした状態の拡大断面側面図である。
【符号の説明】
１  貫通孔
２  表て面
３  台紙用シート
４  保護フィルム
５  粘着層
Ｍ０      完全マーク
Ｍ１      点状マーク
Ｍ２      間欠マーク
Ｓ  確認シート
Ｗ  対象物
【図１】
2004355364.tif 000003
【図２】
2004355364.tif 000004
【図３】
2004355364.tif 000005
【図４】
2004355364.tif 000006
【図５】
2004355364.tif 000007
【図６】
2004355364.tif 000008
【図７】
2004355364.tif 000009